(57)【要約】【課題】締め付けによる不快感を与えることなく、ズレ落ちを抑制することができるストッキングを提供する。【解決手段】パンティストッキング１は、腹部８１、臀部８３、及び股部８２を被覆するパンティ部１０と、左右の脚９０を被覆するストッキング部２０と、を備え、ストッキング部は、第１糸と第１糸とは異なる第２糸とによって編成される第１編成部４１と、第１糸及び第２糸とは材料が異なる第３糸から編成される第２編成部４５と、からなり、第２編成部は、踵部９１を被覆する部分にのみ配置されており、第２編成部の編目における着用者の肌に対する最大静止摩擦力Ｂは、第１編成部の編目における最大静止摩擦力Ａよりも高い。【選択図】図１
0003197486.tif 000002
【実用新案登録請求の範囲】
【請求項１】
腹部、臀部、及び股部を被覆するパンティ部と、左右の脚を被覆するストッキング部と、を備えたストッキングにおいて、
前記ストッキング部は、第１糸と前記第１糸とは異なる第２糸とによって編成される第１編成部と、前記第１糸及び前記第２糸とは材料が異なる第３糸から編成される第２編成部と、からなり、
前記第２編成部は、踵部を被覆する部分にのみ配置されており、
前記第２編成部の編目における着用者の肌に対する最大静止摩擦力は、前記第１編成部の編目における前記最大静止摩擦力よりも高い、ストッキング。
【請求項２】
前記第２編成部と前記第１編成部とは互いに異なる色に着色されている、請求項１記載のストッキング。
【請求項３】
前記踵部を被覆する前記第２編成部は、ゴアラインを形成することにより前記踵の形状に合わせた立体形状に編成されている、請求項１又は２記載のストッキング。
【請求項４】
前記第２編成部は、前記踵部を被覆する部分に加え、爪先を被覆する部分にも配置されている、請求項１〜３の何れか一項記載のストッキング。
【請求項５】
前記第３糸の静止摩擦係数は、前記第１糸及び前記第２糸の前記静止摩擦係数よりも高い、請求項１〜４の何れか一項記載のストッキング。
【請求項６】
前記第１編成部の編目の前記最大静止摩擦力Ａと、前記第２編成部の編目の前記最大静止摩擦力Ｂとは、下記式（１）の関係を満たしている、請求項１〜５の何れか一項記載のストッキング。
０．２０＜  Ｂ／Ａ  ＜０．３７・・・（１）
【請求項７】
前記第２編成部は、単糸のポリエステルである第３糸をゾッキ編みすることにより編成されている、請求項１〜６の何れか一項記載のストッキング。
【請求項８】
前記第１糸は、ポリウレタンにより形成された弾性を有する芯糸に、ナイロンにより形成された巻糸を巻きつけたカバーリング糸であり、前記第２糸は、ナイロンにより形成される単糸であり、前記第１編成部は、前記第１糸及び前記第２糸を交編編みすることにより編成されている、請求項１〜７の何れか一項記載のストッキング。
【考案の詳細な説明】
【技術分野】
【０００１】
本考案は、例えば、パンティストッキング又はタイツなど、腰部からつま先部までを覆う被服であるストッキングに関し、特に、ヒールのないスニーカーやヒールの低い履物などの履物を着用した際に有用なストッキングに関する。
【背景技術】
【０００２】
腰部からつま先部までを覆う被服としてパンティストッキングや、パンティストッキングよりに用いられる糸よりも太い糸が用いられるタイツなどのストッキングが知られている。このようなストッキングでは、着用時のズレ落ちを抑制することが求められている。このようなストッキングして、例えば、特許文献１には、ウエスト部から大腿部までの編目を調整し、締付力を高めることにより、ズレ落ちを防止することができるパンティストッキングが開示されている。
【先行技術文献】
【特許文献】
【０００３】
【特許文献１】実開平５−４５００７号公報
【考案の概要】
【考案が解決しようとする課題】
【０００４】
近年、時代背景の変化により、スニーカー等のヒールの無い履物やヒールの低い履物に合わせて上述したようなストッキングを着用する機会が増えている。本願考案者は、同じストッキングを着用した場合であっても、パンプスなどのヒールの高い履物を着用した時と、ヒールの低い履物を着用した時とでは、ズレ落ちの程度が異なることを発見した。すなわち、ヒールの低い履物を着用した時には、ヒールの高い履物を着用した時と比べ、ズレ落ち量が大きいことを発見した。
【０００５】
ヒールの高い履物を着用した時と比べズレ落ち量が大きい、ヒールの低い履物を着用したときのズレ落ちを抑制しようとすると、例えば、ウエスト部の更なる締付力の増強が必要となる。しかしながら、締付力を高めることは、着用者が、締め付けによる痛みなど不快感を与えることになる。
【０００６】
そこで、本考案は、締め付けによる不快感を与えることなく、ズレ落ちを抑制することができるストッキングを提供することを目的とする。
【課題を解決するための手段】
【０００７】
本願考案者は、鋭意検討を重ねた結果、同じストッキングを着用した場合であっても、ヒールを有する履物を着用した時と、ヒールの低い履物を着用した時とでズレ落ちの程度が異なる原因が、歩行時の足首の可動（稼働）領域の大きさにあることを発見した。すなわち、ヒールの低い履物を着用して歩行した時には、ヒールの高い履物を着用して歩行した時と比べ、ヒールの高さの差に応じて足首の可動領域が大きくなることが、ズレ落ち量が大きくなる原因であることを発見した。そして、この足首部を被覆する部分の生地の伸縮によって足首部近傍でズレ落ちが発生し、そのズレ落ちが股部又はウエスト部に波及する。
【０００８】
そこで、本考案のストッキングは、腹部、臀部、及び股部を被覆するパンティ部と、左右の脚を被覆するストッキング部と、を備えたストッキングにおいて、ストッキング部は、第１糸と第１糸とは材料が異なる第２糸とによって編成される第１編成部と、第１糸及び第２糸とは材料が異なる第３糸から編成される第２編成部と、からなり、第２編成部は、踵部を被覆する部分にのみ配置されており、第２編成部の編目における着用者の肌に対する最大静止摩擦力は、第１編成部の編目における最大静止摩擦力よりも高い。
【０００９】
本考案によるストッキングは、本願考案者が発見した歩行時に生地の伸縮量が大きくなる足首部の直下である踵部に、第１編成部の編目よりも最大静止摩擦力の高い編目を有する第２編成部を配置している。これにより、踵部において肌と編目とが互いにずれ難いアンカー部が形成されることなり、ウエスト部等の締付力を高めることなく、ズレ落ちを抑制できる。アンカー部は、歩行時であっても可動の小さな踵部に形成され、しかも伸縮量が大きくなる足首部に近接して設けられるので、効果的に足首部近傍のズレ落ちを抑制することができる。この結果、締め付けによる不快感を与えることなく、ズレ落ちを抑制することができる。
【００１０】
本考案によるストッキングでは、第２編成部は、踵部を被覆する部分に加え、爪先を被覆する部分にも配置してもよい。
【００１１】
この構成のストッキングでは、更に、踵部と爪先部との間に発生するズレ量を抑制することができる。
【００１２】
本考案によるストッキングでは、第２編成部と第１編成部とは互いに異なる色に着色されていてもよい。この構成のストッキングでは、デザイン性に優れたストッキングとすることができる。
【００１３】
この構成のストッキングでは、踵部を被覆する第２編成部は、ゴアラインを形成することにより踵の形状に合わせた立体形状に編成されていてもよい。この構成のストッキングでは、着用感に優れたストッキングとすることができる。
【００１４】
また、本考案によるストッキングでは、第３糸の静止摩擦係数は、第１糸及び第２糸の静止摩擦係数よりも高くしてもよい。
【００１５】
この構成のストッキングでは、第２編成部の編目による最大静止摩擦力を、第１編成部の編目によりも高くする構成を容易に実現することができる。
【００１６】
本考案によるストッキングでは、第１編成部の編目の最大静止摩擦力Ａと、第２編成部の編目の最大静止摩擦力Ｂとは、下記式（１）の関係を満たしてもよい。
０．２０＜  Ｂ／Ａ  ＜０．３７・・・（１）
【００１７】
本考案によるストッキングでは、第２編成部は、単糸のポリエステルである第３糸をゾッキ編みすることにより編成されていてもよい。
【００１８】
この構成のストッキングでは、第２編成部における着用者の肌に対する最大静止摩擦力を高めることができると共に、強度を高めることができる。
【００１９】
本考案によるストッキングでは、第１糸は、ポリウレタンにより形成された弾性を有する芯糸に、ナイロンにより形成された巻糸を巻きつけたカバーリング糸であり、第２糸は、ナイロンにより形成される単糸であり、第１編成部は、第１糸及び第２糸を交編編みすることにより編成されていてもよい。
【００２０】
この構成のストッキングでは、ポリウレタンにより形成された弾性を有する芯糸に、ナイロンにより形成された巻糸を巻き付けたカバーリング糸による適度な締め付け効果による皺や弛みの発生の防止と、ナイロンにより形成される単糸による透明感のある見映えと、を両立することが出来るため、第１編成部における美観を高めることができる。
【考案の効果】
【００２１】
本考案のストッキングによれば、締め付けによる不快感を与えることなく、ズレ落ちを抑制することができる。
【図面の簡単な説明】
【００２２】
【図１】一実施形態に係るストッキングを示す側面図である。
【図２】図１のストッキングの一部を拡大して示した側面図である。
【図３】静止摩擦力の測定方法を説明した図である。
【図４】実験例１の結果を示すグラフである。
【図５】実験例２の結果を示すグラフである。
【図６】実験例３の結果を示すグラフである。
【図７】実験例４の結果を示すグラフである。
【図８】変形例に係るストッキングを示す側面図である。
【考案を実施するための形態】
【００２３】
以下、図面を参照して本考案の好適な実施形態について詳細に説明する。なお、各図面において同一又は相当の部分に対しては同一の符号を付すこととする。図面の寸法比率は、説明のものと必ずしも一致していない。また、説明中、「上」、「下」等の方向を示す語は、図面に示された状態に基づいた便宜的な語である。
【００２４】
図１は、一実施形態のパンティストッキング１を示した側面図である。図２は、図１のパンティストッキングの一部を拡大して示した側面図である。
【００２５】
図１及び図２に示されるように、パンティストッキング１は、腹部８１、臀部８３、及び股部８２を被覆するパンティ部１０と、左右の脚９０を被覆するストッキング部２０と、を備えている。パンティストッキング１は、左右一対の筒状編成体であって、公知の丸編み機等の編み機を用いて、パンティ部１０と、ストッキング部２０と、が一体的に編成される。
【００２６】
パンティ部１０は、脚挿入口となるウエストバンド部１１と、当該ウエストバンド部からその下につながり、腹部８１、臀部８３、及び股部８２を被覆する本体部１３と、を有している。
【００２７】
ストッキング部２０は、大腿部８５から膝部８６及びふくらはぎ部８７を経て足首部８８に至るレッグ部２０Ａと、足首部８８より先端側の爪先部９２に至る足部２０Ｂとから構成される。足部２０Ｂは、爪先部９２を被覆するトウ部２５と、踵部９１を被覆するヒール部２１と、土踏まず部９３を含む足底となるソール部２７とから構成される。
【００２８】
次に、ストッキング部２０について詳細に説明する。ストッキング部２０は、第１編成部４１と、第２編成部４５とを有している。
【００２９】
第１編成部４１は、芯糸であるポリウレタン弾性糸に巻糸であるナイロン糸を巻きつけたカバーリング糸である第１糸と、単糸のナイロン糸である第２糸とによって編成される部分である。第１編成部４１は、左右の脚９０における踵部９１を被覆する部分（ヒール部２１）と、爪先部９２を被覆する部分（トウ部２５）以外に配置されている。第１編成部４１は、芯糸であるポリウレタン弾性糸に巻糸であるナイロン糸を巻きつけたカバーリング糸により形成される第１糸及び単糸のナイロン糸である第２糸を交編編みすることにより編成されている。上記カバーリング糸において、芯糸であるポリウレタン弾性糸の太さは、１０〜３０デニールであり、巻糸であるナイロン糸の太さは、３０〜５０デニールである。また、単糸であるナイロン糸の太さは、４０〜６０デニールである。
【００３０】
なお、本実施形態においては、第１糸の例として、ポリウレタン弾性糸にナイロンを一重に巻きつけたシングルカバーリング糸を挙げて説明したが、芯糸であるポリウレタン弾性糸に、巻糸であるナイロン糸を二重に巻きつけたダブルカバーリング糸を用いてもよい。
【００３１】
第２編成部４５は、単糸のポリエステルである第３糸から編成される。第３糸の静止摩擦係数は、第１糸及び第２糸の静止摩擦係数よりも高い。第２編成部４５は、踵部９１を被覆する部分（ヒール部２１）と、爪先を被覆する部分（トウ部２５）に配置されている。ヒール部２１は、靴下丸編機の正逆半回転動などにより、ゴアラインを形成し、立体的に編成されている。第２編成部４５は、単糸のポリエステルである第３糸をゾッキ編みすることにより編成されている。上記の単糸であるポリエステル糸の太さは、４０〜６０デニールである。また、第２編成部４５は、ヒートセット加工が施される。
【００３２】
なお、第２編成部４５を編成する、単糸のポリエステルである第３糸は、第１編成部４１を編成する芯糸であるポリウレタン弾性糸に巻糸であるナイロン糸を巻きつけたカバーリング糸により形成される第１糸及び単糸のナイロン糸である第２糸より、太い糸を用いてもよい。第３糸が第１糸及び第２糸より太い構成のストッキングでは、第２編成部４５の度目を密にし、生地の厚みを厚く編成することで最大静止摩擦力を高めると共に、強度を高めることによるズレ防止と破れ防止と、第１編成部４１の度目を粗くし、生地の厚みを薄く編成することによる透明感のある見栄えと、を両立することが出来る。
【００３３】
第２編成部４５の編目における着用者の肌に対する最大静止摩擦力Ｂは、第１編成部４１の編目における最大静止摩擦力Ａよりも高い。例えば、第１編成部４１の編目の最大静止摩擦力Ａと、第２編成部４５の編目の最大静止摩擦力Ｂとは、下記式（１）の関係を満たしている。
０．２２±０．０２＜  Ｂ／Ａ  ＜０．３４±０．０３・・・（１）
【００３４】
なお、第２編成部４５（第１編成部４１）の編目における着用者の肌に対する最大静止摩擦力Ｂ（Ａ）とは、以下の方法により計測された値（静摩擦抵抗力）をいう。すなわち、図３に示されるように、インソール１０１の上に、対象となる生地（第２編成部４５又は第１編成部４１を有する生地）Ｗが載置された２ｃｍ×２ｃｍの角材１０２を乗せる。次に、生地の上から、着用者の体重を仮想したおもり１０３（１．００ｋｇ）を乗せた。この状態で、２ｃｍ×２ｃｍの板に装着した生地を一方向に引っ張ったときの応力（最大静止摩擦力）を測定した。応力の測定には、引張試験機（株式会社イマダ製：デジタルフォースゲージＺＰ５０Ｎ）１０７を用いた。また、各サンプルについて１０回の計測を行い、その平均値を算出した。
【００３５】
本実施形態では、第２編成部４５と第１編成部４１とは互いに異なる色に着色されている。具体的には、第１編成部４１は、ベージュに着色されており、第２編成部４５は、青に着色されている。なお、第１編成部４１は、青以外の赤、黄、又は緑に着色されていてもよい。また、ヒール部２１に配置される第２編成部４５と、トウ部２５に配置される第２編成部４５とでは、同じ色に着色されていてもよいし、互いに異なる色に着色（ただし、第１編成部４１の色とは異なる色）されていてもよい。
【００３６】
第２編成部４５における着色は、単糸のポリエステルである第３糸に、染色された糸を用いることで行われる。なお、第３糸の染色には、分散染料が用いられる。一方、第１編成部４１における着色は、芯糸であるポリウレタン弾性糸に巻糸であるナイロン糸を巻きつけたカバーリング糸である第１糸及びナイロンにより形成される第２糸に、無着色の白色糸を用い、パンティストッキング１として製編された後に、ベージュ色に染色される（いわゆる製品染め）。なお、製品染めにおける染色には、酸性染料が用いられる。
【００３７】
次に、本実施形態のパンティストッキング１における作用効果を説明する。本考案によるパンティストッキング１は、本願考案者が発見した歩行時に生地の伸縮量が大きくなる足首部８８の直下である踵部９１に、第１編成部４１の編目よりも最大静止摩擦力の高い編目を有する第２編成部４５を配置している。すなわち、本考案によるパンティストッキング１は、踵部９１において肌と編目とが互いにずれ難いアンカー部を形成することにより、ウエストバンド部１１等の締付力を高めることなく、ズレ落ちを抑制している。アンカー部は、歩行時であっても可動の小さな踵部９１に配置され、しかも伸縮量が大きくなる足首部８８に近接して設けられるので、効果的に足首部８８近傍のズレ落ちを抑制することができる。この結果、締め付けによる不快感を与えることなく、ズレ落ちを抑制することができる。
【００３８】
また、ヒール部２１は、過剰な生地の伸展なしに踵部９１に対して好適にフィットするように、丸編機の正逆半回転動などにより、ゴアラインを形成し、踵形状に合わせた立体形状に編成されている。ゴアラインを形成し、踵部９１に合わせた立体形状に編成することにより、筒状体を踵部９１に合うように引き伸ばす場合と比較し、最大静止摩擦力の高い編目を有する第２編成部４５の編目が密になり、踵部９１に接する量が増えるため、ズレ落ちを抑制する効果が増す。また、ヒール部２１が、踵部９１に立体的に包み込むようにフィットする形状であることにより、肌と編目とがより互いにずれ難くなり、ズレ落ちを抑制する効果が更に増す。
【００３９】
本考案によるパンティストッキング１では、第２編成部４５と第１編成部４１とは互いに異なる色に着色されているので、デザイン性に優れている。
【００４０】
本考案によるパンティストッキング１では、第２編成部４５は、ポリエステルにより形成される第３糸をゾッキ編みすることにより編成されている。このため、第２編成部４５における、着用者の肌に対する最大静止摩擦力を高めることができると共に、第２編成部４５の強度を高めることができる。
【００４１】
本考案によるパンティストッキング１では、第１編成部４１は、芯糸であるポリウレタン弾性糸に巻糸であるナイロン糸を巻きつけたカバーリング糸により形成される第１糸及び単糸のナイロン糸により形成される第２糸を交編編みすることにより編成されている。この構成のストッキングでは、芯糸であるポリウレタン弾性糸に巻糸であるナイロン糸を巻きつけたカバーリング糸による適度な締め付け効果による皺や弛みの発生の防止と、単糸のナイロン糸による透明感のある見映えとを両立することが出来るため、第１編成部４１における美観を高めることができる。
【００４２】
本考案によるパンティストッキング１では、ヒートセット加工が施されているので、ポリエステルにより形成される第３糸をゾッキ編みすることにより編成されている第２編成部４５の位置、すなわち、ヒール部２１及びトウ部２５に形状安定効果による美観がもたらされる。
【００４３】
次に、以下の実験例１〜４を基に、上記実施形態のパンティストッキング１の作用効果を説明する。ただし、本考案は、これらの実験例１〜４に示す実施例に限定されるものではない。パンティストッキング１の作用効果の実験を説明する前に、ヒールの無い履物を着用して歩行した時と、ヒールを有する履物を着用して歩行した時とでは、ズレ落ち量に差があることを実験例１を用いて説明する。
【００４４】
＜実験例１＞
同じパンティストッキングを着用した場合であっても、ヒールの無い履物を着用した時の方が、ヒールを有する履物を着用した時と比べて、ズレ落ち量が多くなることを実験によって確かめた。本実験に用いた資料及び履物は以下のとおりである。
試    料：従来の市販されているパンティストッキング
着用履物：高さ４．５ｃｍのヒール部を有するパンプス、ヒール部の無いスニーカー
【００４５】
試料となるパンティストッキングは、マイクロミニパンツを着用した上から着用した。次に、下記の表１に示すとおり、被験者におけるウエスト（前後左右の４箇所）、大腿部（前後の２箇所）、膝（前後の２箇所）、ふくらはぎ（前後の２箇所）、足首（前後の２箇所）、甲（１箇所）、足裏（爪先及び踵の２箇所）の１５箇所に、ズレ落ち量を計測するための基点を示すマークをつけた。
【００４６】
次に、被験者に、足上げを５回、屈伸を５回行ってもらった後に、トレッドミル（４ｋｍ／ｈ）で１５分走行してもらった。その後、上記マークを基点とするストッキングのズレ落ち量を計測した。そして、この計測を３回行って、その平均値を試験値とした。表１は、部位ごとの計測値の平均値である。
【表１】
0003197486.tif 000003
【００４７】
表１の関係をグラフにすると図４に示されるようになる。図４に示されるグラフからも明らかのように、どの部位においてもスニーカーを履いて歩行したときの方が、パンプスを履いて歩行したときよりも、ズレ落ち量が大きくなることが分かった。
【００４８】
パンプスを着用して歩行する場合には、高さのあるヒールにより足首の可動領域が制限されるのに対して、ヒールの無いスニーカーを着用して歩行する場合には、ヒールにより足首の可動領域が制限されることがないので足首の可動領域が広がる。そして、この足首の動きに生地が追随できないことが、ズレ落ち量を大きくしていると考えられる。
【００４９】
このようなスニーカーを着用したときのズレ落ちを、従来の技術にて抑制しようとすると、ウエストバンド部１１等において更なる締付力の増強が必要となり、締め付けによる痛みなど不快感を与えることになる。本考案では、左右の脚９０における踵部９１を被覆する部分（ヒール部２１）に、着用者の肌と編目とが互いにずれ難い第１編成部４１を配置するだけで、ウエストバンド部１１等の締付力を高めることなくズレ落ちを抑制できるので、特に、スニーカーを着用する際に有用であることが分かる。
【００５０】
＜実験例２＞
実験例２では、ヒールの無いスニーカーを着用して歩行したときのズレ落ち量が、従来のパンティストッキングと比べて、本考案におけるパンティストッキングを着用した方が小さくなることを実験によって確かめた。本実験に用いた資料及び履物は以下のとおりである。
試料：（実施例）上記実施形態のパンティストッキング１
：（比較例）従来の市販品であるパンティストッキング
着用履物：ヒール部の無いスニーカー
【００５１】
なお、具体的な測定方法は、実験例１と同様である。この結果、表２に示す結果が得られた。
【表２】
0003197486.tif 000004
【００５２】
表２の関係をグラフにすると図５に示されるようになる。図５に示されるグラフからも明らかのように、足部、足首部、ふくらはぎ部、膝部、大腿部、及びウエスト部において、上記実施形態のパンティストッキング１を履いて歩行したときの方が、従来の市販品であるパンティストッキングを履いて歩行したときよりも、ズレ落ち量が小さくなることが確認できた。なお、ウエスト部については、ズレ落ち量の差が大きくない。これは、従来の市販品であるパンティストッキングの方が、締め付け力が大きいからだと考えられる。次の実験例３では、上記実施形態のパンティストッキング１、及び、従来の市販品であるパンティストッキングを着用した時のウエスト部での着圧（締付力）をそれぞれ計測した。
【００５３】
＜実験例３＞
実験例３では、実験例２を実施した際の従来の市販品であるパンティストッキングにおけるウエスト部の着圧が、上記実施形態のパンティストッキング１よりも大きくなることを実験によって確かめた。実験に用いた資料及び履物は以下のとおりである。
試料：（実施例）上記実施形態のパンティストッキング１
：（比較例）従来の市販品であるパンティストッキング
【００５４】
人間生活工学研究センター（ＨＱＬ）が提供する２０代の日本人女性の平均的な下半身マネキンを準備し、当該マネキンのウエスト部分に、エアパック式着圧測定器（株式会社エイエムアイ・テクノ製：Ａ０１０１−Ｇ）を設置した。次に、上記実施形態のパンティストッキング１及び従来の市販品であるパンティストッキングのそれぞれマネキンに着用し、このとき着圧測定器により計測される値を読み取った。なお、計測値は、着圧量させたときの着用後１分後の値を読み取った。各試料について５回計測を行って、最大値及び最小値を除いた３回の計測値の平均値を算出した。
【表３】
0003197486.tif 000005
【００５５】
表３の関係をグラフにすると図６に示されるようになる。実験例２を実施した際の従来の市販品であるパンティストッキングにおけるウエスト部の着圧は、上記実施形態のパンティストッキング１よりも大きいことが分かった。すなわち、スニーカーを履いて歩行した際のウエスト部のズレ落ち量を同程度にしようとすると、従来の市販品であるパンティストッキングでは、上記実施形態のパンティストッキング１よりも締付量（着圧量）を高める必要があることが確認された。言い換えれば、上記実施形態のパンティストッキング１は、従来の市販品であるパンティストッキングよりも小さな締付量で、ズレ落ちを抑制できることが確認できた。
【００５６】
＜実験例４＞
最後に、上記実施形態のパンティストッキング１において、ヒールの無い履物を着用して歩行した時と、ヒールを有する履物を着用して歩行したときの、各部位におけるズレ落ち量を測定した。
試    料：上記実施形態のパンティストッキング１
着用履物：高さ４．５ｃｍのヒール部を有するパンプス、ヒール部の無いスニーカー
【００５７】
なお、具体的な測定方法は、実験例１及び２と同様である。この結果、表４に示す結果が得られた。
【表４】
0003197486.tif 000006
【００５８】
表４の関係をグラフにすると図７に示されるようになる。スニーカーを着用した場合も、パンプスを着用した場合も、従来の市販品であるパンティストッキングを着用した場合と比べ、各部位におけるズレ落ち量が小さくなることがわかった（図５に示される比較例参照）。また、この実験結果によれば、スニーカーを着用した場合の方が、パンプスを着用した場合と比べ、ズレ落ち量が小さいことが分かった。すなわち、上記実施形態のパンティストッキングは、スニーカーを着用した場合の方が、パンプスを着用した場合よりも大きな効果を発揮することが確認できた。
【００５９】
以上、本考案の一実施形態について説明したが、本考案は上記実施形態に限定されるものではなく、考案の趣旨を逸脱しない範囲で種々の変更が可能である。
【００６０】
上記実施形態では、ストッキングの例としてパンティストッキング１を例に挙げて説明したがこれに限定されるものではなく、タイツなどにも適用可能である。
【００６１】
上記実施形態では、ヒール部２１及びトウ部２５に第２編成部４５が配置された例を挙げて説明したが、図８に示されるように、ヒール部２１のみに第２編成部４５が配置されていてもよい。
【００６２】
上記実施形態では、第１編成部４１がベージュで着色されている例を挙げて説明したが、例えば、黒、灰、紺など、明度の低い色で着色してもよい。
【符号の説明】
【００６３】
１…パンティストッキング（ストッキング）、１０…パンティ部、１１…ウエストバンド部、１３…本体部、２０…ストッキング部、２０Ａ…レッグ部、２０Ｂ…足部、２１…ヒール部、２５…トウ部、２７…ソール部、４１…第１編成部、４５…第２編成部。
【図３】
0003197486.tif 000007
【図４】
0003197486.tif 000008
【図５】
0003197486.tif 000009
【図６】
0003197486.tif 000010
【図７】
0003197486.tif 000011
【図１】
0003197486.tif 000012
【図２】
0003197486.tif 000013
【図８】
0003197486.tif 000014